(57)【要約】【課題】小瞳孔の被検眼に対して、良好に観察が行うことができる眼底カメラを提供する。【解決手段】照明光路中の水晶体バッフル１５の遮光面積を可変として、その状態を検出手段２０により検出し、制御手段１８は観察光源１０の光量を増減するか又はテレビカメラ９の感度を増減することにより、撮像手段５で得られる画像の明るさを適正として、精度の良い眼科診断を行う。【選択図】        図１
2004180708.tif 000002
【特許請求の範囲】
【請求項１】
被検眼を照明光源による照明する照明光学系と、該照明光学系中に配置し検眼の水晶体と略共役位置に有害光を遮蔽するための面積を可変とする遮光手段と、前記照明光学系より照明された被検眼像を撮像素子を用いて観察する撮像手段とを有する眼底カメラにおいて、被検眼観察時に前記遮光手段の面積変化に応じて前記照明光源の光量又は撮像素子の感度を自動的に変化させることを特徴とする眼底カメラ。
【発明の詳細な説明】
【０００１】
【発明の属する技術分野】
本発明は、眼科医院や集団検診等において使用される小瞳孔撮影可能な眼底カメラに関するものである。
【０００２】
【従来の技術】
従来から、眼底撮影時に被検眼が十分に散瞳せず瞳孔径が小さい場合には、例えば特開平５−１５４９７号公報に示すように、水晶体バッフルを切換えることにより入射面積を増加させ、被検眼を撮影する眼底カメラが知られている。
このような眼底カメラでは、通常では小瞳孔径スイッチの作用により、水晶体バッフルを切換えて入射面積を増加させ、更には照明光量を増加させることにより、入射光量を増加させることによってカラー撮影等を行っている。
【０００３】
【発明が解決しようとする課題】
しかしながら上述の従来例において、カラー撮影された画像は、入射面積と入射光量を制御することにより、適切な画像が得られるようになっている。
しかし、観察中は小瞳孔径スイッチを作用させただけでは、観察光量の増加又は撮像素子の増感を別途に作用させないと、不適切な映像が映出されてしまい、所望の観察画像が得られ難いという欠点がある。更には、撮影のやり直しを余儀なくされ、撮影者に手間を掛けさせてしまうことがあり、極めて煩わしいという欠点もある。
【０００４】
本発明の目的は、上述の問題点を解消し、観察中においても適切な観察光量の増加又は観察用撮像素子の増感設定を行うことにより、精度の良い観察画像が得られ、正確な診断や効率の良い撮影が実施できる眼底カメラを提供することにある。
【０００５】
【課題を解決するための手段】
上記目的を達成するための本発明に係る眼底カメラは、被検眼を照明光源による照明する照明光学系と、該照明光学系中に配置し検眼の水晶体と略共役位置に有害光を遮蔽するための面積を可変とする遮光手段と、前記照明光学系より照明された被検眼像を撮像素子を用いて観察する撮像手段とを有する眼底カメラにおいて、被検眼観察時に前記遮光手段の面積変化に応じて前記照明光源の光量又は撮像素子の感度を自動的に変化させることを特徴とする。
【０００６】
【発明の実施の形態】
本発明を図示の実施の形態に基づいて詳細に説明する。
図１は本実施の形態における眼底カメラの構成図を示しており、被検眼Ｅの前方には対物レンズ１が配置され、その後方の光路上には孔あきミラー２、フォーカスのために移動可能な撮影レンズ３、可動ミラー４、可視波長領域に感度を有するテレビカメラ等から成る撮像手段５が順次に配列され、眼底撮像光学系が構成されている。
【０００７】
可動ミラー４の反射方向には、ハーフミラー６、眼底Ｅｒと略共役位置に固視灯７が配置されている。ハーフミラー６の反射方向には、フィールドレンズ８、赤外波長領域に感度を有するテレビカメラ９が順次に配列され観察光学系が構成されている。
【０００８】
また、孔あきミラー２への照明光の入射方向には照明光学系が設けられ、ハロゲンランプ等の可視光を発する観察光源１０側からコンデンサレンズ１１、可視光カットフィルタ１２、可視光の閃光を発する撮影光源１３、リング状開口部を有し被検眼Ｅの瞳孔Ｅｐと略共役位置にあるリングスリット１４、リング状開口部を有し被検眼Ｅの水晶体後面Ｅｓと略共役位置にある水晶体バッフル１５、レンズ１６、リング状開口を有し被検眼角膜Ｅｃと略共役位置にある角膜バッフル１７が順次に配列されている。
【０００９】
撮像手段５、テレビカメラ９の出力は制御手段１８に接続されており、制御手段１８には、固視灯７、観察光源１０、撮影光源１３、テレビモニタ１９、水晶体バッフル１５の状態を検出するマイクロスイッチ等の検出手段２０、画像記録媒体２１が、それぞれ接続されている。
【００１０】
図２は水晶体バッフル１５の正面図を示し、水晶体バッフル１５は中央部に有害光を遮蔽する固定の遮光部１５ａと、支点１５ｂを中心として矢印方向に手動又は電動で回動可能で、遮光部１５ａを覆う可動遮光部１５ｃとから成っており、可動遮光部１５ｃを光路に挿脱することにより遮光部の面積を変更することができる。
【００１１】
通常撮影の場合、即ち十分に散瞳している際には、水晶体バッフル１５の中央部の遮光部１５ａを覆うように可動遮光部１５ｃを挿入し、小瞳孔撮影の場合には可動遮光部１５ｃを光路外に退避する。また、検出手段２０は可動遮光部１５ｃの他端１５ｄの近傍に配置されており、この他端１５ｄの動きを基に可動遮光部１５ｃの状態が検出できるようにされている。
【００１２】
次に、通常の撮影手順において、撮影者は被検者を眼底カメラの正面に着座させ、対物レンズ１の正面に被検眼Ｅを位置させ、眼底撮影のためのアライメントを行う。そして、観察光源１０を点灯すると、その光束はコンデンサレンズ１１により集光され、可視光カットフィルタ１２により観察光束となった観察光は、撮影光源１３、リングスリット１４、水晶体バッフル１５、リレーレンズ１６、角膜バッフル１７を経て、孔あきミラー２により左方に反射され、対物レンズ１を通り被検眼Ｅの瞳Ｅｐを介して眼底Ｅｒを照明する。
【００１３】
観察光束による観察光で照明された眼底Ｅｒの眼底像は、対物レンズ１、孔あきミラー２の孔部を通過し、撮影レンズ３を経て、可動ミラー４により上方に反射され、更にハーフミラー６により左方に反射され、フィールドレンズ８を介してテレビカメラ９に達する。観察光に感度を有するテレビカメラ９は、受光した眼底像を制御手段１８を介してテレビモニタ１９に出力する。
【００１４】
図３は通常撮影における眼底像Ｅｒ’の説明図を示しており、撮影者はテレビモニタ１９に提示された眼底像を観察しながら、固視灯７による固視標を被検眼Ｅに投影し、眼底Ｅｒと眼底カメラとの精密な位置合わせ、ピント合わせ及び撮影範囲の確認を行う。固視標７ａは被検眼Ｅに提示された固視灯７の位置をテレビモニタ１９で眼底像Ｅｒ’に電気的に合成させて表示したものである。
【００１５】
撮影者は撮影範囲、位置、ピント合わせが良好であることを確認した後に、図示しない撮影スイッチを操作し静止画撮影を行う。撮影スイッチの入力を検知した制御手段１８は、可動ミラー４を跳ね上げて光路外に退避させると共に、撮影光源１３を発光する。撮影光源１３から発した撮影光束は、観察光と同様にリングスリット１４、水晶体バッフル１５のリング状開口部を通過し、リレーレンズ１６、角膜バッフル１７を経て、孔あきミラー２の周辺のミラー部により左方に反射され、対物レンズ１を介して被検眼Ｅの瞳孔Ｅｐから眼底Ｅｒを照明する。
【００１６】
このように照明された眼底像Ｅｒ’は、対物レンズ１、孔あきミラー２の孔部を通過し、撮影レンズ３を経て撮像手段５の撮像面に結像し、制御手段１８を介してテレビモニタ１９に眼底像を表示すると共に、画像記録媒体２１に画像を記録する。
【００１７】
小瞳孔撮影の場合についても、撮影者が被検眼Ｅと眼底カメラと位置合わせを行う手順は、上述の通常撮影と同様である。しかしながら、被検眼Ｅの散瞳が不十分で瞳孔径が小さい場合には、図４に示すように眼底像Ｅｒ’の中央部が暗くなる。
【００１８】
そこで、撮影者は図２に示す水晶体バッフル１５の可動遮光部１５ｃを光路外に退避させ、光軸上に遮光面積の小さな固定の遮光部１５ａのみを配置することにより、光束の入射面積を変更する。しかし、光束の入射面積の増加だけでは画像は不明瞭であるので、制御手段１８は検出手段２０の検出状態を確認すると、観察光源１０の光量又はテレビカメラ９の感度を増加させる。
【００１９】
これにより、良好な観察画像を得られることができるので、その後は通常撮影と同様に撮影スイッチを操作して、撮影光源１３を発光させて眼底画像の撮影を行い、得られた眼底像を画像記録媒体２１に記録する。
【００２０】
図５は撮影の手順を示すフローチャート図を示しており、先ずステップＳ１において、眼底カメラのイニシャライズを行い、ステップＳ２において、被検眼Ｅの観察を行う。続いて、ステップＳ３において被検眼Ｅの散瞳状態を判定し、十分に散瞳していない小瞳孔と判断した場合には、ステップＳ４に進み水晶体バッフル１５の切換えを行い、ステップＳ５において光量増加又は感度増加を行った後に、ステップＳ６において被検眼Ｅの撮影を行う。
【００２１】
また、ステップＳ３において被検眼Ｅが十分に散瞳している場合には、ステップＳ６に進み、そのまま被検眼Ｅの撮影を行う。この手順により、被検眼Ｅが小瞳孔時においても良好な観察画像を得ることができ、容易に撮影画像が得られる。
【００２２】
なお、本実施の形態では、水晶体バッフル１５の動作を検出して小瞳孔時観察と判断しているが、水晶体バッフル１５の切換えを電動とした場合には、切換えの入力操作を判断基準として検出手段２０を省略することもできる。
【００２３】
本発明の実施の形態の幾つかを次に列挙する。
【００２４】
〔実施の形態１〕  被検眼を照明光源による照明する照明光学系と、該照明光学系中に配置し検眼の水晶体と略共役位置に有害光を遮蔽するための面積を可変とする遮光手段と、前記照明光学系より照明された被検眼像を撮像素子を用いて観察する撮像手段とを有する眼底カメラにおいて、被検眼観察時に前記遮光手段の面積変化に応じて前記照明光源の光量又は撮像素子の感度を自動的に変化させることを特徴とする眼底カメラ。
【００２５】
〔実施の形態２〕  前記照明光源は観察光源とした実施の形態１に記載の眼底カメラ。
【００２６】
〔実施の形態３〕  前記遮光手段の面積は小さな面積の固定の遮光部材に対し、大きな面積の可動の遮光部材を光路内に挿脱することにより可変とする実施の形態１に記載の眼底カメラ。
【００２７】
〔実施の形態４〕  前記遮光手段の面積変化の検知、前記可動の遮光部材の動きを検出することにより行うようにした実施の形態３に記載の眼底カメラ。
【００２８】
【発明の効果】
以上説明したように本発明に係る眼底カメラは、被検眼観察時に照明光学系中の遮光手段の面積変化に応じて、照明光源の光量又は撮像素子の感度を変化させることにより、精度の良い眼科診断を実行できる。
【図面の簡単な説明】
【図１】本実施の形態における眼底カメラの構成図である。
【図２】水晶体バッフルの正面図である。
【図３】通常の眼底観察時のテレビモニタの説明図である。
【図４】小瞳孔径被検眼の眼底観察時のテレビモニタの説明図である。
【図５】撮影手順のフローチャート図である。
【符号の説明】
１  対物レンズ
２  孔あきミラー
３  撮影レンズ
５  撮像手段
７  固視灯
９  テレビカメラ
１０  観察光源
１３  撮影光源
１５  水晶体バッフル
１５ａ、１５ｃ  遮光部材
１８  制御手段
１９  テレビモニタ
２０  検出手段
【図１】
2004180708.tif 000003
【図２】
2004180708.tif 000004
【図３】
2004180708.tif 000005
【図４】
2004180708.tif 000006
【図５】
2004180708.tif 000007